(57)【要約】【課題】生簀内の不溶性懸濁物を除去するだけでなく、海水に溶け込んだ可溶性栄養塩も浄化させることができる魚介類及び海藻類の複合養殖装置と、その複合養殖方法を提供すること。【解決手段】この複合養殖装置では、海域に設けられ、魚介類を養殖する第一生簀１と、その第一生簀１の内部であってその上部に設けられ、海藻類を養殖する第二生簀２と、第一生簀１の中に残留する残餌や糞などの不溶性懸濁物を含む海水を懸濁物フィルタ３４に通して不溶性懸濁物を除去し、不溶性懸濁物除去後の海水を第二生簀２に戻す不溶性懸濁物除去装置３とを有し、不溶性懸濁物除去後の海水を、第二生簀２を介して第一生簀１に戻して魚介類及び海藻類を養殖する。【選択図】図２
2013240296.tif 000002
【特許請求の範囲】
【請求項１】
海域に設けられ、魚介類を養殖する第一生簀と、その第一生簀の内部であってその上部に設けられ、海藻類を養殖する第二生簀と、第一生簀の中に残留する残餌や糞などの不溶性懸濁物を含む海水を懸濁物フィルタに通して不溶性懸濁物を除去し、不溶性懸濁物除去後の海水を第二生簀に戻す不溶性懸濁物除去装置とを有し、不溶性懸濁物除去後の海水を、第二生簀を介して第一生簀に戻すように構成したことを特徴とする魚介類及び海藻類の複合養殖装置。
【請求項２】
海域に設けられた第一生簀において魚介類を養殖すると共に、その第一生簀の内部であってその上部に設けられた第二生簀において海藻類を養殖し、第一生簀の中に残留する残餌や糞などの不溶性懸濁物を含む海水は懸濁物フィルタに通して不溶性懸濁物を除去し、不溶性懸濁物除去後の海水を、第二生簀を介して第一生簀に戻して魚介類及び海藻類を養殖することを特徴とする魚介類及び海藻類の複合養殖方法。
【発明の詳細な説明】
【技術分野】
【０００１】
本発明は、海域にて魚介類を養殖する魚介類及び海藻類の複合養殖装置と、その複合養殖方法に関する。
【背景技術】
【０００２】
海域にて魚介類を養殖する方法としては、海中に設置した生簀で魚介類を養殖する方法が一般的である。この方法は、残餌や糞などの不溶性懸濁物（有形固形物）が生簀内に滞留してしまい、さらには、尿に含まれていたりその残餌や糞などから海水に溶け込んだアンモニアやリン、窒素などの可溶性栄養塩が生簀内やその周辺海域に拡がることから、その生簀内や周辺海域で有害なプランクトンが多く発生してしまうという問題がある。そして、これらの点は、水質環境の悪化を招き、魚介類の成長阻害や疾病の原因ともなっており、魚介類の成長に悪影響を及ぼしていた。
【０００３】
この問題点を解決する技術として、例えば、陸上の水槽内で魚介類を養殖する技術ではあるが、水槽内の底部中央に集積させた不溶性懸濁物を気液混合水流発生装置によって中空状のガイドチューブ内を上昇させ、ガイドチューブ内の出口から排出される不溶性懸濁物が混ざった気液混合水から濾過装置や遠心分離機などによって不溶性懸濁物を除去し、その除去処理後の水を再び水槽内に戻す装置が提案されている（例えば、特許文献１参照。）。
【先行技術文献】
【特許文献】
【０００４】
【特許文献１】特開２００６−２１７８２２号公報
【発明の概要】
【発明が解決しようとする課題】
【０００５】
しかし、前述の特許文献１に記載の従来技術では、残餌や糞などの不溶性懸濁物（有形固形物）は除去できるものの、尿に含まれていたり、その残餌や糞などから海水に溶け込んだアンモニアやリン、窒素などの可溶性栄養塩は浄化できないため、仮にこの従来技術を海域での養殖方法に適用させたとしても、生簀内やその周辺海域における水質環境の悪化を解決できるものではない。
【０００６】
本発明は、このような問題点に鑑みなされたもので、生簀内の不溶性懸濁物を除去するだけでなく、海水に溶け込んだ可溶性栄養塩も浄化させることができ、延いては生簀内およびその周辺海域の水質環境を悪化させることなく、魚介類及び海藻類を養殖することが可能な魚介類及び海藻類の複合養殖装置と、その複合養殖方法を提供することを目的とする。
【課題を解決するための手段】
【０００７】
上記従来技術の問題点を解決するため、本発明に係る魚介類及び海藻類の複合養殖装置は、海域に設けられ、魚介類を養殖する第一生簀と、その第一生簀の内部であってその上部に設けられ、海藻類を養殖する第二生簀と、第一生簀の中に残留する残餌や糞などの不溶性懸濁物を含む海水を懸濁物フィルタに通して不溶性懸濁物を除去し、不溶性懸濁物除去後の海水を第二生簀に戻す不溶性懸濁物除去装置とを有し、不溶性懸濁物除去後の海水を、第二生簀を介して第一生簀に戻すように構成したことを特徴とする。
また、本発明に係る魚介類及び海藻類の複合養殖方法は、海域に設けられた第一生簀において魚介類を養殖すると共に、その第一生簀の内部であってその上部に設けられた第二生簀において海藻類を養殖し、第一生簀の中に残留する残餌や糞などの不溶性懸濁物を含む海水は懸濁物フィルタに通して不溶性懸濁物を除去し、不溶性懸濁物除去後の海水を、第二生簀を介して第一生簀に戻して魚介類及び海藻類を養殖することを特徴とする。
【発明の効果】
【０００８】
本発明に係る魚介類及び海藻類の複合養殖装置と、その複合養殖方法によれば、第一生簀内に滞留した残餌や糞などの不溶性懸濁物は懸濁物フィルタで除去されると共に、尿に含まれていたり残餌や糞などから溶け出したアンモニアなどの可溶性栄養塩は第二生簀内で養殖される海藻類によって吸収されるため、生簀内およびその周辺海域の水質環境を悪化させることなく、魚介類及び海藻類を養殖することができる。
【図面の簡単な説明】
【０００９】
【図１】海域に設置した本発明に係る魚介類及び海藻類の複合養殖装置の状態を示す斜視図である。
【図２】図１に示す本発明に係る魚介類及び海藻類の複合養殖装置の構成を示す一部切欠斜視図である。
【図３】図1に示す魚介類及び海藻類の複合養殖装置の平面図である。
【図４】（ａ）〜（ｃ）それぞれ、第一生簀の形状の他の例を示す図である。
【発明を実施するための形態】
【００１０】
以下、本発明に係る魚介類及び海藻類の複合養殖装置と、その複合養殖方法の実施形態について説明する。
【００１１】
魚介類及び海藻類の複合養殖装置は、図1〜図３に示すように、近海に設置されるもので、海域に設けられ、魚介類を養殖する第一生簀１と、その第一生簀１の内部であってその上部に設けられ、海藻類を養殖する第二生簀２と、それら第一生簀１および第二生簀２それぞれの中央を通る不溶性懸濁物除去装置３とを有する。なお、図１に示すように、第一生簀１の底部には係留索４の一端が連結されていると共に、係留索４の他端は海底６に沈めたシンカー５に連結され、この装置全体が流されないようにするのが好ましい。
【００１２】
第一生簀１は、図２に示すように、魚介類が逃げない程度の網目を有する魚介類用養殖網１１と、魚介類が食べ残した餌の残餌や排泄した糞などの不溶性懸濁物が周辺海域に流出しないようにシート状の透水性部材１２とによって囲まれて構成されている。魚介類用養殖網１１と透水性部材１２との境界には、仕切り部材１３が張設されており、第一生簀１の内部空間を、上部は魚介類養殖領域１１Ａ、下部は不溶性懸濁物集積領域１１Ｂに区切っている。ここで、仕切り部材１３は、魚介類が魚介類養殖領域１１Ａから下方の不溶性懸濁物集積領域１１Ｂに侵入せず、かつ、魚介類が食べ残した残餌や排泄した糞などの不溶性懸濁物がつかえずに通過する程度の大きさの網目とする。また、透水性部材１２の底部は、その中央部が最深となるように外周部から中央部にかけてテーパー状または曲面状に形成する。なお、魚介類用養殖網１１の上部には、魚介類用養殖網１１全体を浮かすためのフロート１１１や、魚介類が逃げ出さないように図示しない柵などを設ける。
【００１３】
第二生簀２は、第一生簀１の魚介類養殖領域１１Ａの内部であってその上部に設けられ、海藻類用養殖網２１によって囲まれて構成されている。ここで、海藻類用養殖網２１は、一般的な網でも良いし、シート状の透水性部材によって構成されていても良い。また網の代わりに柵でも良い。海藻類を養殖する方法は、例えば、海藻の胞子や中間育成させた海草種苗が付着したロープ等をいかだから海中に吊下げて育成・養殖する方法など、各種の公知技術が適用可能である。なお、海藻類用養殖網２１の上部には、必要あれば、魚介類用養殖網１１の上部と同様に、海藻類用養殖網２１全体を浮かすためのフロート２１１や、魚介類が入り込まないように図示しない柵などを設けても良い。
【００１４】
なお、本発明における養殖対象の魚介類及び海藻類の種類は限定されないが、養殖対象の魚介類及び海藻類の最適成育水温は、ある程度一致させる必要があるため、例えば、養殖対象の魚介類を温暖な海域におけるマダイやブリ等とした場合、養殖対象の海藻類は、可溶性栄養塩の吸収量が多いオゴノリやアオクサなどの紅藻類や、アナアオクサなどの緑藻類等の夏期に生育旺盛な種（藻類）が最適である。また、冬季の低水温期に養殖される魚介類を養殖対象とした場合は、海藻類は、低水温でも生育する紅藻のアマノリ類や褐藻のワカメ、コンブ類を用いることができる。
【００１５】
不溶性懸濁物除去装置３は、海面から第一生簀１の底部まで延びた中空パイプ３１と、配送管３２を介してその中空パイプ３１の下部開口部３１ａに対し空気（気泡）を送る空気ポンプ３３と、残餌や糞などの不溶性懸濁物を含む海水から不溶性懸濁物を除去する懸濁物フィルタ３４とを有し、中空パイプ３１の下部開口部３１ａへ送った空気によって不溶性懸濁物を含む海水を上部開口部３１ｂまで上昇させて放水管３１ｃを介し懸濁物フィルタ３４に放水し、第二生簀２に戻すように構成されている。なお、不溶性懸濁物除去装置３は、不溶性懸濁物を含む海水を上昇させて懸濁物フィルタ３４に通して不溶性懸濁物を除去し、その海水を第二生簀２に戻すことができれば良いので、空気ポンプ３３を利用した方法に限定されるものではなく、不溶性懸濁物を含む海水を水中ポンプ等により海面まで吸い上げるような方法も可能である。また、中空パイプ３１も、第一生簀１および第二生簀２それぞれの中央を通る必要はなく、第一生簀１および第二生簀２それぞれの外側を通っていても勿論良く、要は、不溶性懸濁物集積領域１１Ｂにおける不溶性懸濁物を含む海水を上昇させて懸濁物フィルタ３４に供給できれば良い。
【００１６】
ここで、懸濁物フィルタ３４の平面視の直径は、図２および図３に示すように、第二生簀２の同直径よりも小さく、第二生簀２の同直径は、第一生簀１の同直径よりも小さくしている。そのため、第二生簀２で養殖している海藻類には確実に太陽光が照射され、光合成が促進される。また、第一生簀１で養殖している魚介類は海面まで浮上でき、上方から餌などを与えることができる。ただし、養殖する魚介類の種類によっては、太陽光を好まない魚介類もいるので、この場合には、第二生簀２の同直径を第一生簀１の同直径とほぼ同じにすることも可能である。
【００１７】
次に、以上のように構成された魚介類及び海藻類の複合養殖装置の動作である魚介類及び海藻類の複合養殖方法について説明する。
【００１８】
まず、第一生簀１内の養殖されている魚介類は、第二生簀２との間の海面等の上方から餌を供給され、魚介類養殖領域１１Ａにて養殖される。すると、魚介類が食べ残した残餌や、排泄した糞などの不溶性懸濁物は、仕切り部材１３を通って第一生簀１内における下方の不溶性懸濁物集積領域１１Ｂの底部に集積される。
【００１９】
不溶性懸濁物集積領域１１Ｂの最深部には、複合養殖装置の中空パイプ３１の下部開口部３１ａが位置しており、配送管３２を介して空気ポンプ３３から送られてくる空気（気泡）が中空パイプ３１の中を上昇することによって、中空パイプ３１の中に下部開口部３１ａから上部開口部３１ｂへ向かう上昇流が発生する。
【００２０】
すると、不溶性懸濁物集積領域１１Ｂの底部に集積された不溶性懸濁物は、海水と共に中空パイプ３１の下部開口部３１ａから吸い込まれて、中空パイプ３１の中を通って上部開口部３１ｂまで送られ、放水管３１ｃから懸濁物フィルタ３４の上に放水される。そのため、その海水に含まれる残餌や糞などの不溶性懸濁物は、懸濁物フィルタ３４によって除去されると共に、その不溶性懸濁物が除去された海水が第二生簀２に戻される。
【００２１】
ここで、懸濁物フィルタ３４を通った海水は、不溶性懸濁物が除去されているものの、尿に含まれていたり残餌や糞などから海水中に溶け込んだアンモニアや、リン、窒素などの可溶性栄養塩は、懸濁物フィルタ３４を通過して除去されないため、可溶性栄養塩が含まれた海水が第二生簀２に戻されることになる。
【００２２】
しかし、第二生簀２で養殖されている海藻類は、海水中に含まれるアンモニアや、リン、窒素などの可溶性栄養塩を栄養素の一つとして吸収するため、可溶性栄養塩が海藻類の栄養供給源として役立つだけでなく、海水が浄化される。その結果、第一生簀１には、懸濁物フィルタ３４によって不溶性懸濁物が除去され、さらに第二生簀２の海藻類によって可溶性栄養塩が吸収された後の浄化された海水が戻されることになる。
【００２３】
従って、この魚介類及び海藻類の複合養殖装置およびその複合養殖方法によれば、第一生簀１内に滞留した残餌や糞などの不溶性懸濁物は懸濁物フィルタ３４で除去されると共に、残餌や糞などから溶け出したアンモニアなどの可溶性栄養塩は第二生簀２内で養殖される海藻類によって吸収されるため、生簀内およびその周辺海域の水質環境を悪化させることなく、魚介類及び海藻類を養殖することができる。
【００２４】
特に、第二生簀２は、第一生簀１の内部であって第一生簀１の上部に設けられているため、海藻類の光合成が促進されると共に、光合成に伴って放出される酸素が海水に溶解して第一生簀１の魚介類に提供されるため、魚介類に対する養殖環境が向上する。
【００２５】
また、第二生簀２は、第一生簀１の内部であってその上部に設けられているため、第二生簀２の網などに付着した海藻や第二生簀２から流出した海藻が第一生簀１の中で養殖されている魚介類の餌になるという効果もある。
【００２６】
なお、上記実施形態の説明では、魚介類用養殖網１１によって形成される第一生簀１等の形状は、図１〜図３に示すように、半球形状で説明したが、本発明では、これに限らず、図４（ａ）〜（ｃ）に示すような四角錐や、四角錐台、さらには三角柱を横に倒した形状のような各種形状が可能であり、要は、第一生簀１で魚介類を養殖し、その第一生簀１の内部であってその上部の第二生簀２で海藻類を養殖できる形態であれば特にこだわらない。
【符号の説明】
【００２７】
１…第一生簀、１１…魚介類用養殖網、１１１…フロート、１１Ａ…魚介類養殖領域、１１Ｂ…不溶性懸濁物集積領域、１２…透水性部材、１３…仕切り部材、２…第二生簀、２１…海藻類用養殖網、２１１…フロート、３…不溶性懸濁物除去装置、３１…中空パイプ、３２…配送管、３３…空気ポンプ、３４…懸濁物フィルタ、４…係留索、５…シンカー、６…海底。
【図１】
2013240296.tif 000003
【図２】
2013240296.tif 000004
【図３】
2013240296.tif 000005
【図４】
2013240296.tif 000006